(57)【要約】【課題】コスト低減とスペース効率の向上と組み立て作業性を向上させることができる電子回路配線の接続構造を提供する。【解決手段】主筺体１３には、実装電子部品１６とコネクタ１７が搭載された回路基板１５が固定され、可動パネル筺体１４にも同様の回路基板２１、実装電子部品２２、コネクタ２３が固定される。コネクタ１７と２３のそれぞれには、フレキシブル接続基板１８の両端が着脱自在に結合され、その中間部に補強部材１９が固定されている。パネル閉状態のときには、案内部材２４の先端部によって補強部材１９が僅かに持ち上げられた状態にされ、回路基板１５と２１の電気接続がフレキシブル接続基板１８を介してなされ、パネル開状態のときには案内部材２４の有する反力によって補強部材１９が主筺体１３の方向に押され、可動パネル側緩衝部１８ｂが略直線状にされ、主筺体側緩衝部１８ａが主筺体１３寄りに大きく湾曲した状態にされ、フレキシブル接続基板１８は外部に突出しない。【選択図】        図１
2004179212.tif 000002
【特許請求の範囲】
【請求項１】
電子機器の主筺体と該主筺体に対して移動自在な可動パネル筺体とのそれぞれに設けられた電気回路の間を帯状のフレキシブル接続基板を用いて電気接続する電子回路配線の接続構造において、
前記フレキシブル接続基板の中間部位に固定され、該フレキシブル接続基板の有する剛性より大きな剛性を持った補強部材と、
前記主筺体に対して前記可動パネル筺体が移動されたときに、前記補強部材を前記主筺体と前記可動パネル筺体のいずれの外部にも突出しないように案内すると共に、前記補強部材と前記主筺体との間、並びに前記補強部材と前記可動パネル筺体との間に形成される緩衝部において前記フレキシブル接続基板を湾曲させる案内部材とを具備することを特徴とする電子回路配線の接続構造。
【請求項２】
前記補強部材は、前記フレキシブル接続基板に別部材を接着して構成することを特徴とする請求項１に記載の電子回路配線の接続構造。
【請求項３】
前記補強部材は、前記フレキシブル接続基板と同一材質の厚板で構成することを特徴とする請求項１に記載の電子回路配線の接続構造。
【請求項４】
前記案内部材は、片端が前記可動パネル筺体に片持ち固定され、自由端が前記主筺体に侵入するように構成することを特徴とする請求項１に記載の電子回路配線の接続構造。
【請求項５】
前記案内部材は、前記主筺体に対して可動パネル筺体が開状態にされたときに、略Ｌ字形状を呈し、閉状態にされたときに略直線形状を呈するように構成することを特徴とする請求項１に記載の電子回路配線の接続構造。
【請求項６】
前記主筺体または前記可動パネル筺体に設けられた電気回路に接続される前記フレキシブル接続基板は、コネクタを介在して電気接続されることを特徴とする請求項１に記載の電子回路配線の接続構造。
【請求項７】
前記主筺体または前記可動パネル筺体に設けられた電気回路に接続される前記フレキシブル接続基板は、半田付けを用いて電気接続されることを特徴とする請求項１に記載の電子回路配線の接続構造。
【請求項８】
前記主筺体または前記可動パネル筺体に設けられた電気回路に接続される前記フレキシブル接続基板は、当該電気回路の基板と一体に構成することを特徴とする請求項１に記載の電子回路配線の接続構造。
【発明の詳細な説明】
【０００１】
【発明の属する技術分野】
本発明は、電子機器の主筺体と該主筺体に対して移動自在な可動パネル筺体とのそれぞれに設けられた電気回路の間を帯状のフレキシブル接続基板を用いて電気接続する電子回路配線の接続構造に関する。
【０００２】
【従来の技術】
この種の電子回路配線の接続構造は、電子機器が例えばカーオーディオ機器の場合には、図４に示すように電子機器１が主筺体２と可動パネル筺体６に分割して構成され、各種の操作モードに応じて可動パネル筺体６を主筺体２に対して正面の下方を回転軸にして図４に示すような閉状態にし、可動パネル筺体６の表面に配設されたスイッチ釦を操作したり、図５に示すような開状態にし、可動パネル筺体６の裏面側に配設されたスイッチ釦を操作し得るように構成される。
【０００３】
また、主筺体２には、所定の電気動作を実行するための回路基板３が固定され、その一部にジャンパー接続用のコネクタ３ａが固定され、可動パネル筺体６においても、回路基板７が固定されその一部にジャンパー接続用のコネクタ７ａが固定されている。
【０００４】
コネクタ３ａとコネクタ７ａのそれぞれには、帯状の接続導体が形成されたフレキシブル接続基板４の一端と他端のそれぞれが着脱自在に結合され、その中間部に巻取収納部５が配設され、巻取収納部５のコネクタ３ａの方向に主筺体側緩衝部４ａが形成され、コネクタ７ａの方向に可動パネル側緩衝部４ｂが形成されている。
【０００５】
巻取収納部５は、可動パネル筺体６の開状態と閉状態の間に移動されることによって可動パネル側緩衝部４ｂの長さが変化することを緩衝するために巻き取るものであって、図６に示すように、円形断面の巻取ローラー１０の片端面には、巻取ローラー１０の外径より小径の軸８が設けられ、他端面にも小径で長尺の軸９が一体に設けられ、軸８と軸９が主筺体２に対して回転自在に支持されることによって巻取ローラー１０が回転自在に支持され、ねじり方向の蓄勢力を有するばね１２によって当該巻取ローラー１０に回転力が与えられ、即ち、軸９の周囲に巻回されるばね１２の片端が不動部材に固定され、他端が巻取ローラー１０の一部に固定されることによって巻取ローラー１０に所定方向の回転力が与えられる。なお、符号１１は、スリットであり、フレキシブル接続基板４の中間部が緩く嵌合して摺動状態を保って挿通される。
【０００６】
従って、図４に示すように、主筺体２に対して可動パネル筺体６が閉状態にされたときには、図７に示すように巻取ローラー１０への巻き取り部分が少なくされ、可動パネル側緩衝部４ｂの長さが巻取収納部５からコネクタ７ａまでの比較的に長い値にされ、一方、図５に示すように、主筺体２に対して可動パネル筺体６が開状態にされたときには、図８に示すように巻取ローラー１０の有する回転蓄勢力によってフレキシブル接続基板４の中間部がスリット１１内を摺動した状態で巻き込まれ、可動パネル側緩衝部４ｂの長さが短縮される。
【０００７】
主筺体２に対して可動パネル筺体６が閉状態にされた場合と開状態にされた場合のいずれにおいても主筺体側緩衝部４ａの長さは変化されず、可動パネル側緩衝部４ｂの長さのみが変化される。
【０００８】
また、巻取収納部５の構造は、図示せずもその端部に歯車を設け、可動パネル筺体の開閉に連動させて主筺体と可動パネル筺体の間に生じるフレキシブル接続基板余長を巻き取るように構成された例もある（例えば、特許文献１に開示）。
【０００９】
【特許文献１】
特許第３０３１１６０号  図１、図４〜図９、段落番号の００２５〜００３６
【００１０】
【発明が解決しようとする課題】
従来の電子回路配線の接続構造は、第１として、複雑な構造であるためにコストが多く掛かるという問題があり、第２として多くの設置容積を有するのでスペース効率が悪いという問題があり、第３として、複雑構造であるために組み立て作業性が悪いという問題がある。
【００１１】
そこで、本発明の目的は、コスト低減とスペース効率の向上と組み立て作業性を向上させることができる電子回路配線の接続構造を提供することにある。
【００１２】
【課題を解決するための手段】
前記課題を解決するために、本発明による電子回路配線の接続構造は、次に記載するような特徴的な構成を採用している。
【００１３】
（１）電子機器の主筺体と該主筺体に対して移動自在な可動パネル筺体とのそれぞれに設けられた電気回路の間を帯状のフレキシブル接続基板を用いて電気接続する電子回路配線の接続構造において、
前記フレキシブル接続基板の中間部位に固定され、該フレキシブル接続基板の有する剛性より大きな剛性を持った補強部材と、
前記主筺体に対して前記可動パネル筺体が移動されたときに、前記補強部材を前記主筺体と前記可動パネル筺体のいずれの外部にも突出しないように案内すると共に、前記補強部材と前記主筺体との間、並びに前記補強部材と前記可動パネル筺体との間に形成される緩衝部において前記フレキシブル接続基板を湾曲させる案内部材とを具備する電子回路配線の接続構造。
【００１４】
（２）前記補強部材は、前記フレキシブル接続基板に別部材を接着して構成する上記（１）の電子回路配線の接続構造。
【００１５】
（３）前記補強部材は、前記フレキシブル接続基板と同一材質の厚板で構成する上記（１）の電子回路配線の接続構造。
【００１６】
（４）前記案内部材は、片端が前記可動パネル筺体に片持ち固定され、自由端が前記主筺体に侵入するように構成する上記（１）の電子回路配線の接続構造。
【００１７】
（５）前記案内部材は、前記主筺体に対して可動パネル筺体が開状態にされたときに、略Ｌ字形状を呈し、閉状態にされたときに略直線形状を呈するように構成する上記（１）の電子回路配線の接続構造。
【００１８】
（６）前記主筺体または前記可動パネル筺体に設けられた電気回路に接続される前記フレキシブル接続基板は、コネクタを介在して電気接続される上記（１）の電子回路配線の接続構造。
【００１９】
（７）前記主筺体または前記可動パネル筺体に設けられた電気回路に接続される前記フレキシブル接続基板は、半田付けを用いて電気接続される上記（１）の電子回路配線の接続構造。
【００２０】
（８）前記主筺体または前記可動パネル筺体に設けられた電気回路に接続される前記フレキシブル接続基板は、当該電気回路の基板と一体に構成する上記（１）の電子回路配線の接続構造。
【００２１】
【発明の実施の形態】
以下、本発明の実施の形態について図１乃至と図４を用いて詳細に説明する。先ず、第１の実施の形態について図１と図２を用いて説明する。
【００２２】
図１及び図２に示す電子機器は、主筺体１３と可動パネル筺体１４に２分割して構成され、主筺体１３に対して可動パネル筺体１４を図１に示すような閉状態と、図２に示すような開状態に移動自在に構成されている。
【００２３】
主筺体１３には、所定の電気動作を実行するための回路基板１５が固定され、一方の面に実装電子部品１６が搭載され、他の面にジャンパー接続用のコネクタ１７が固定され、可動パネル筺体１４にも回路基板２１が固定され、一方の面に実装電子部品２２が搭載され、他の面にジャンパー接続用のコネクタ２３が固定されている。
【００２４】
コネクタ１７とコネクタ２３のそれぞれには、帯状の接続導体が形成されたフレキシブル接続基板１８一端と他端のそれぞれが着脱自在に結合され、その中間部の表面に補強部材１９が固定されている。
【００２５】
補強部材１９は、フレキシブル接続基板１８の中間部位に接着等の手段を用いて固定され、その材質は、フレキシブル接続基板１８の有する剛性より大きな剛性を持った合成樹脂板で形成されたり、フレキシブル接続基板１８と同一材質の厚板でなる実質的に大きな剛性を有するように構成されている。
【００２６】
よって、可動パネル筺体１４が閉じられた状態（図１の状態）においては、コネクタ１７とコネクタ２３の間にフレキシブル接続基板１８が掛け渡され、コネクタ１７の方向に主筺体側緩衝部１８ａを有し、可動パネル筺体１４の方向に可動パネル側緩衝部１８ｂを有している。
【００２７】
また、主筺体１３に対して可動パネル筺体１４が図１から図２に示すように移動されたときに、補強部材１９を常に主筺体１３と可動パネル筺体１４のいずれの外部にも突出しないように案内する案内部材２４の片端がコネクタ２３に固定され、片持ち支持状態が保たれている。
【００２８】
案内部材２４は、補強部材１９と主筺体１３との間、並びに補強部材１９と可動パネル筺体１４との間に形成される主筺体側緩衝部１８ａと可動パネル側緩衝部１８ｂでなる緩衝部のそれぞれにおいてフレキシブル接続基板１８を湾曲させる案内を行う機能を有している。
【００２９】
このような機能を有する案内部材２４は、割合に剛性高い合成樹脂板の途中を符号ａで示すような変曲点を形成することによって自由位置における形状が図１に示すような略Ｌ字を呈し、変曲点ａより先端寄り（主筺体１３の方向）が補強部材１９の裏面によって押されたときに略直線状を呈する。主筺体１３の下面寄りに固定された部材２０は、案内部材２４の摺接移動を円滑に行わせるためのものである。
【００３０】
従って、可動パネル筺体１４が閉状態にされるときには、案内部材２４の先端部によって補強部材１９が僅かに持ち上げられた状態にされ、回路基板１５と回路基板２１の電気接続がフレキシブル接続基板１８を介してなされ、可動パネル筺体１４が開状態にされるときには案内部材２４の有する反力によって補強部材１９が主筺体１３の方向に押され、可動パネル側緩衝部１８ｂが略直線状にされると共に、主筺体側緩衝部１８ａが主筺体１３寄りに大きく湾曲した状態にされる。このために、可動パネル筺体１４が開状態と閉状態のいずれであっても主筺体１３や可動パネル筺体１４から突出することがない。
【００３１】
なお、本実施の形態においては、主筺体１３と可動パネル筺体１４が閉状態にされたときにコネクタ１７が垂直に配設されているが、図３（ａ）及び（ｂ）に示すように補強部材１９の上位に位置するコネクタ１７を水平に配設し、常に主筺体側緩衝部１８ａの部分で半円形の湾曲部分が生じるように構成し、パネル閉状態で図３（ａ）のような主筺体側緩衝部１８ａがパネル開状態にされるときには、図３（ｂ）のように補強部材１９が可動パネル側緩衝部１８ｂの移動に伴って移動されるときに大きく変化するように構成してもよい。
【００３２】
また、主筺体１３または可動パネル筺体１４に設けられた回路基板１５または回路基板２１は、コネクタコネクタ１７とコネクタ２３を介在してフレキシブル接続基板１８が接続されているが、半田付けを用いて両者を固定的に接続するようにしてもよい。
【００３３】
更に、回路基板１５と回路基板２１のそれぞれに搭載される実装電子部品１６と実装電子部品２２の態様は全くの任意であって、従前からの電子部品のみならずチップ部品、板面に直接に形成された集積回路等々のいずれであってもよく、そのいずれかを組み合わせて搭載するようにしてもよいことは勿論である。
【００３４】
以上、本発明の好適実施形態例を説明したが、これは単なる例示にすぎず、特定用途に応じて種々の変形変更が可能であること勿論である。
【００３５】
【発明の効果】
以上の説明で明らかなように、本発明による電子回路配線の接続構造は、第１として、従来に比して極めて部品点数の少ない部材で構成でき、その部品価格も僅かであるために大幅なコスト削減が達成できるという効果があり、第２として、従来に比して設置容積は大幅に低減され部品実装のデッドスペースに収納可能であるのでスペース効率が著しく向上するという効果があり、第３として、従来に比して複雑が単純であるために組み立て作業性を著しく向上することができるという効果がある。
【００３６】
従って、本発明によれば、コスト低減とスペース効率の向上と組み立て作業性を向上させることができる電子回路配線の接続構造を提供することができる。
【図面の簡単な説明】
【図１】本発明の一実施の形態による電子回路配線の接続構造の可動パネル筺体を閉じた状態を示す概略構成図である。
【図２】本発明の一実施の形態による電子回路配線の接続構造の可動パネル筺体を開いた状態を示す概略構成図である。
【図３】本発明の他の実施の形態による要部を示す図である。
【図４】従来の電子回路配線の接続構造の可動パネル筺体を閉じた状態を示す概略構成図である。
【図５】従来の電子回路配線の接続構造の可動パネル筺体を開いた状態を示す概略構成図である。
【図６】図４及び図５中に示される巻取収納部の詳細構造を示す斜視図である。
【図７】図４及び図５中に示される巻取収納部における可動パネル筺体を閉じた状態を示す図である。
【図８】図４及び図５中に示される巻取収納部における可動パネル筺体を開いた状態を示す図である。
【符号の説明】
１  電子機器
２  主筺体
３  回路基板
３ａ  コネクタ
４  フレキシブル接続基板
４ａ  主筺体側緩衝部
４ｂ  可動パネル側緩衝部
５  巻取収納部
６  可動パネル筺体
７  回路基板
７ａ  コネクタ
８、９  軸
１０  巻取ローラー
１１  スリット
１２  ばね
１３  主筺体
１４  可動パネル筺体
１５  回路基板
１６  実装電子部品
１７  コネクタ
１８  フレキシブル接続基板
１８ａ  主筺体側緩衝部
１８ｂ  可動パネル側緩衝部
１９  補強部材
２０  部材
２１  回路基板
２２  実装電子部品
２３  コネクタ
２４  案内部材
【図１】
2004179212.tif 000003
【図２】
2004179212.tif 000004
【図３】
2004179212.tif 000005
【図４】
2004179212.tif 000006
【図５】
2004179212.tif 000007
【図６】
2004179212.tif 000008
【図７】
2004179212.tif 000009
【図８】
2004179212.tif 000010